(57)【要約】      （修正有）【目的】棹と胴に亘り絃を強く張ることから生じる棹の部分の反りを解消することが可能な三味線の棹を提供する。【構成】三味線の棹１０は、棹内に設けた溝部に、ロッド２０を一方端が固定され、且つ、湾曲した状態で嵌め込み、当該ロッドの他方端にネジ部を設けると共に、棹部内に設けた溝部に回転自在に固定されたナットに螺合させ、当該ナットの孔部から棹の外部に直線的に伸びる孔部を設けて構成した。更に棹の表面に補強板４０を貼り付けて構成した。【選択図】図１
0003210629.tif 000002
【実用新案登録請求の範囲】
【請求項１】
三味線の棹において、
棹内に設けた溝部に、ロッドを一方端が固定され、且つ、湾曲した状態で嵌め込んだこと、
当該ロッドの他方端にネジ部を設けると共に、棹部内に設けた溝部に回転自在に固定されたナットに螺合させたこと、
当該ナットの孔部から棹の外部に直線的に伸びる孔部を設けたこと、
を特徴とする三味線の棹。
【請求項２】
棹の表面に補強板を貼り付けた請求項1に記載の三味線の棹。
【考案の詳細な説明】
【技術分野】
【０００１】
本考案は、三味線に関する。特に、沖縄地方で用いられる三線及び日本本土で用いられる三味線に関する。なお、本明細書において三味線とは、三線及び三味線を指すものであり、本考案はこれら三味線の棹の改良に関するものである。
【背景技術】
【０００２】
三線とは、沖縄県及び奄美諸島で演奏されている弦楽器であって、両面に蛇皮を張った木製の胴に棹が取り付けられ、この胴と棹にわたって張られた三本の絹糸からなる弦を演奏者が爪で弾いて演奏するものである。
【０００３】
この三線は、もともと中国から沖縄地方に伝えられ、その後日本本土に渡り、日本本土においては、蛇皮の代わりに猫または犬の皮が張られて三味線として広く演奏されるものとなった。
【０００４】
三味線のより具体的な構造を図５を参照しながら概説する。
【０００５】
三味線１は、胴３と、該胴３の一側壁から伸びた棹２と、該棹２の先端部近傍に設けられた糸巻４ａ，４ｂ，４ｃと、前記一側壁と対向する側壁の外面に設けられた根緒５との間に張設される３本の絃６ａ，６ｂ，６ｃを主要部として構成される。
【０００６】
三味線の胴３は、木材をほぼロの字状に組み立てた胴枠部からなり、前記胴枠部の両面にある開口した部分には、上述の通り猫や犬の皮が張設される。
【０００７】
三味線の棹に関する改良発明として、特許文献１には、棹を合成樹脂で形成することで、安価で良質で且つデザインに多様性を持たせることを目的とした発明が開示されてい。特許文献２には、棹の全長または一部において、粒子ないし粉末状の骨材を合成樹脂で混練して棹本体部を形成し、その外周面を合成樹脂で被覆することで安価に製造可能な三味線が開示されている。
【先行技術文献】
【特許文献】
【０００８】
【特許文献１】特開２００２−３２８６７２号公報
【特許文献２】特開平８−１６０９４０号公報
【考案の概要】
【考案が解決しようとする課題】
【０００９】
三味線は棹と胴に亘り絃を強く張り、これを強くはじいて演奏するものであることから、棹に対して両端から相当の圧縮荷重がかかる。殊に、糸巻きが二個取り付けられた側に向けて棹が反っていく圧力が強くかかる。かかる反りが発生すると、演奏する際に、棹上に張られた絃を指で押さえにくくなってしまう。
【００１０】
そこで本考案は、かかる反りを解消することが可能な三味線の棹を提供することを目的とする。
【課題を解決するための手段】
【００１１】
上記の目的を達成する本考案の構成は次の通りである。
【００１２】
（１）  請求項１に記載の考案は、三味線の棹において、棹内に設けた溝部に、ロッドを一方端が固定され、且つ、湾曲した状態で嵌め込み、当該ロッドの他方端にネジ部を設けると共に、棹部内に設けた溝部に回転自在に固定されたナットに螺合させ、当該ナットの孔部から棹の外部に直線的に伸びる孔部を設けて構成した。
【００１３】
（２）  請求項２に記載の考案は、請求項1記載の三味線の棹において、棹の表面に補強板を貼り付けて構成した。
【考案の効果】
【００１４】
上記のように構成される本考案が、如何に作用して課題を解決するかを図面を参照しながら概説する。
【００１５】
図１や図２に示すように棹１０にはロッド２０湾曲した形状で嵌め込まれている。そして、ロッド２０の一方端に存する固定部材２１は、図４に示すように溝部１３に嵌めこまれ固定され、ロッド２０の他方端は、図３に示すようにネジ部２２が設けられており、該ネジ部２２はナット３０に螺合されている。そしてナット３０は、棹１０の溝部１２内に回転自在であるが、その位置は移動することが出来ない形状で嵌めこまれ固定されている。
【００１６】
かかる構成ゆえに、ナット３０を一方向に回転させれば、ロッド２０は図３でいえば上方に引き上げられ、他方向に回転させれば下方に引き下げられる。そして上述の通り、ロッド２０は固定部材２１により棹１０に固定されていることから、ロッド２０の上記引き上げ、引き下げにより、棹の反りを解消することが可能となるのである。
【００１７】
請求項２に記載の棹では、図１や図２に示すように、棹１０の表面に補強板４０が貼り付けられている。この補強板４０が棹１０の反っていく圧力に対する抵抗となるため、そりを可及的に抑制することが可能となるのである。なお、表面とは棹に絃が張られる側の面を指すものである。
【図面の簡単な説明】
【００１８】
【図１】本考案にかかる棹の正面図
【図２】同、糸巻きを省略した右側面図
【図３】要部拡大断面図
【図４】要部拡大断面図
【図５】一般的な三味線の説明図
【考案を実施するための形態】
【００１９】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２０】
本考案にかかる三味線の棹は、図５に示されるような一般的な三味線に装備されるものである。従来例にかかる三味線１は、図５に示されるように、棹２および胴３から構成されている。棹２は、図２に示される鳩胸２ａが胴３に接触し、中木２ｂが胴部の一側壁を貫通して嵌合されている。棹２は、紅木、花梨、または紫檀等により形成される。
【００２１】
棹２の先端部近傍には、絃６ａ，６ｂ，６ｃを張力可変に固定するための糸巻き４ａ，４ｂ，４ｃが設けられている。絃６ａ，６ｂ，６ｃは、それぞれがほぼ平行になるように張られている。一の絃６ａ、二の絃６ｂ、三の絃６ｃがそれぞれ一の糸巻き４ａ、二の糸巻き４ｂ、三の糸巻き４ｃに巻回されており、絃６ａ，６ｂ，６ｃの他端は、前記一側壁と対向する側壁の外面に設けられた根緒５に結束して固定されている。
【００２２】
胴部３は、上部が開口した木製の箱体からなり、前記箱体には、外側に出る年輪がきれいで、重さも三味線にちょうど良いという理由で花梨が用いられることが多い。
【００２３】
本考案にかかる棹１０も上記棹２と同様の構造を有するものである。以下において、従来の棹２と本考案にかかる棹１０の相違点を概説する。
【００２４】
図１や図２に示すように棹１０にはロッド２０が嵌め込まれている。より詳しくは、図３や図４に示すように、棹１０に設けた溝部１１にロッド２０は嵌め込まれている。
【００２５】
ロッド２０は図１に示すように湾曲した形状で嵌めこまれている。したがって、溝１１も、正面視において湾曲したロッド２０を、収容可能な程度の横幅を有した形状に設けられている。更には、ナット３０の回転に伴いロッド２０の湾曲形状が変化するので、かかる変化の邪魔をしない程度の幅を、溝部１１に設ける必要がある。
【００２６】
ロッド２０の一方端に存する固定部材２１は、図４に示すように溝部１３に嵌めこまれ固定されている。溝部１３の形状は固定部材２１の外周とほぼ同じ形状に設けられており、しかも固定部材２１はロッド２０と形状を異にして設けてあることから、固定部材２１によるロッド２０の固定が可能となるのである。
【００２７】
なお、図４においては、固定部材２１はロッド２０より大きな部材であるが、逆にロッド２０よりも小さな部材で固定部材２１を構成することも可能である。
【００２８】
ロッド２０の他方端には、図３に示すようにネジ部２２が設けられており、該ネジ部２２はナット３０に螺合されている。
【００２９】
ナット３０は図３に示すように、溝部１２に嵌め込まれている。溝部１２はナット３０の外形とほぼ同じ形状で僅かに大きく形成されている。かかる形状にすることでナット３０は溝部１２内で回転可能となるが、その位置はほとんど変わることがなく固定されるのである。
【００３０】
棹１０には、図３に示すように、ナット３０の孔部３１から棹１０の外部に直線的に伸びる孔部１４が設けてある。かかる構成にすることで、棹１０の外部から孔部１４を通して六角レンチなどを挿入可能となり、ナット３０を外部から回転させることが可能となるのである。
【００３１】
図１に示すように、棹１０の表面には補強板４０が貼られている。補強板４０は木材・樹脂・金属などで形成した薄板である。
【符号の説明】
【００３２】
１０・・棹
１１・・溝部
１２・・溝部
１３・・溝部
２０・・ロッド
２１・・固定部材
２２・・ネジ部
３０・・ナット
３１・・孔部
４０・・補強板
【図１】
0003210629.tif 000003
【図２】
0003210629.tif 000004
【図３】
0003210629.tif 000005
【図４】
0003210629.tif 000006
【図５】
0003210629.tif 000007